【手続補正書】
【提出日】平成19年5月31日(2007.5.31)
【手続補正１】
【補正対象書類名】明細書
【補正対象項目名】発明の名称
【補正方法】変更
【補正の内容】
【発明の名称】投票券記念プリントシステム、投票券記念プリントサービス方法および記憶媒体
【手続補正２】
【補正対象書類名】明細書
【補正対象項目名】特許請求の範囲
【補正方法】変更
【補正の内容】
【特許請求の範囲】
【請求項１】  利用者により購入された投票券の記念プリントを該利用者に提供するための投票券記念プリントシステムであって、
利用者により購入された投票券の記述情報の読取が可能で、前記利用者が指定する、前記投票券の記念プリントに対する注文内容を、入力可能な入力装置と、
前記入力装置により読み取られた記述情報と前記入力装置によって入力された注文内容とに基づいて前記投票券の記念プリントデータを生成する管理装置と、
前記投票券の記念プリントを出力するために、前記管理装置により生成された記念プリントデータの印刷出力を行う出力装置と
を備えることを特徴とする投票券記念プリントシステム。
【請求項２】  前記入力装置は、前記利用者が指定する、前記出力装置から出力された記念プリントを受け取る受取り形態を、入力することを特徴とする請求項１に記載のプリントシステム。
【請求項３】  前記管理装置は、前記入力装置により読み取られた記述情報に基づき前記投票券が勝ち券であるか否かを判定し、前記投票券が勝ち券であるときには、前記投票券の記述情報に基づき前記投票券の払戻金額を算出することを特徴とする請求項１に記載の投票券記念プリントシステム。
【請求項４】  前記管理装置は、勝ち券である前記投票券の記念プリントが注文されると、前記払戻金額から前記投票券の記念プリントの料金を差し引いた金額を算出することを特徴とする請求項３に記載の投票券記念プリントシステム。
【請求項５】  前記記念プリントに対する注文内容には、前記記念プリントに対する出力種類を指定する項目が含まれていることを特徴とする請求項１ないし４のいずれか１つに記載の投票券記念プリントシステム。
【請求項６】  前記記念プリントに対する注文内容には、前記記念プリントデータの生成に使用される複数のテンプレートの中から所望のテンプレートを指定する項目が含まれ、
前記管理装置は、前記指定されたテンプレートを用いて前記記念プリントデータを生成することを特徴とする請求項１ないし５のいずれか１つに記載の投票券記念プリントシステム。
【請求項７】  前記入力装置は、操作画面を表示する表示手段を有し、前記操作画面上で前記記念プリントに対する注文内容を指定するための入力操作を行うことを特徴とする請求項１ないし６のいずれか１つに記載の投票券記念プリントシステム。
【請求項８】  前記記念プリントの受取り形態として、前記記念プリントの注文後に前記記念プリントを所定場所で直接受け取る直接受取り形態があり、
前記管理装置は、前記直接受取り形態が指定されると、前記記念プリントの注文に対する注文番号を前記利用者に発行するとともに、前記注文番号および前記記念プリントデータを前記出力装置に送出し、
前記出力装置は、前記記念プリントデータに基づく前記記念プリントを前記注文番号により識別可能に出力することを特徴とする請求項２に記載の投票券記念プリントシステム。
【請求項９】  前記記念プリントの受取り形態として、前記記念プリントを前記利用者が指定された配送先で受け取る配送受取り形態があり、
前記入力装置は、前記利用者が指定する前記配送先を入力することが可能であり、
前記管理装置は、前記配送受取り形態が指定されると、前記配送先を記述した配送票データを前記記念プリントデータとともに前記出力装置に送出することを特徴とする請求項２に記載の投票券記念プリントシステム。
【請求項１０】  前記記念プリントの受取り形態として、前記記念プリントを予め決められた複数の店頭のいずれかで直接受け取る店頭受取り形態があり、
前記管理装置は、前記店頭受取り形態が指定されると、前記記念プリントの注文に対する注文番号を前記利用者に発行し、
前記各店頭のそれぞれには、前記出力装置と、前記利用者により前記発行された注文番号を入力することが可能な入力端末とが設置され、
前記入力端末に前記注文番号が入力されると、前記管理装置は、前記注文番号と前記注文番号に対応する記念プリントデータを前記出力装置に送出し、
前記出力装置は、前記記念プリントデータに基づく前記記念プリントを前記注文番号により識別可能に出力することを特徴とする請求項２に記載の投票券記念プリントシステム。
【請求項１１】  前記入力端末は、前記管理装置から送出された記念プリントデータの確認画像を表示するための表示手段を有することを特徴とする請求項１０に記載の投票券記念プリントシステム。
【請求項１２】  前記入力端末は、前記表示手段に表示された記念プリントデータの確認画像を基準にして前記記念プリントデータの変更設定を行うための入力操作が可能であり、
前記管理装置は、前記記念プリントデータの設定変更の入力操作に応じて前記記念プリントデータの生成をやり直し、前記記念プリントデータの確認画像を前記入力端末に送出することを特徴とする請求項１１に記載の投票券記念プリントシステム。
【請求項１３】  前記投票券の記念プリントデータは、前記複数のテンプレートの中から選択されたテンプレートを用いて作成されたデータであり、
前記入力端末による前記記念プリントデータの設定変更の入力操作は、前記記念プリントデータの生成に用いられたテンプレートの変更を行うための入力操作であることを特徴とする請求項１２に記載の投票券記念プリントサービスシステム。
【請求項１４】  前記入力端末は、前記記念プリントを前記利用者が指定された配送先で受け取る配送受取り形態と配送先とを入力することが可能であり、
前記管理装置は、前記配送受取り形態が指定されると、前記入力された配送先を記述した配送票データを前記記念プリントデータとともに前記出力装置に送出し、前記出力装置は、前記配送票データの印刷出力とともに前記記念プリントデータの印刷出力を行うことを特徴とする請求項１０に記載の投票券記念プリントシステム。
【請求項１５】  前記出力装置は、カラー印刷出力が可能であることを特徴とする請求項１に記載の投票券記念プリントシステム。
【請求項１６】  前記管理装置は、前記記述情報に関連する情報を保持するとともに、前記利用者が使用可能な情報端末を収容する通信網に接続され、
前記情報端末は、前記管理装置にアクセスして前記記述情報に関連する情報を取り出すことが可能であることを特徴とする請求項１に記載の投票券記念プリントシステム。
【請求項１７】  利用者により購入された投票券の記念プリントを該利用者に提供する投票券記念プリントサービス方法であって、
利用者により購入された投票券の記述情報を読み取る工程と、
前記投票券の記念プリントの受取り形態を指定する項目が含まれる注文内容を入力する工程と、
前記記述情報と前記注文内容とに基づいて前記投票券の記念プリントデータを生成する工程と、
前記記念プリントデータの印刷出力を行う工程と
を有することを特徴とする投票券記念プリントサービス方法。
【請求項１８】  利用者により購入された投票券の記念プリントを該利用者に提供するための投票券記念プリントシステムを構築するためのプログラムをコンピュータにより読み取り可能に格納した記憶媒体であって、
前記プログラムは、
利用者により購入された投票券の記述情報と前記利用者が指定する前記投票券の記念プリントに対する注文内容とに基づいて前記投票券の記念プリントデータを生成するプリントデータ生成ステップと、
前記記念プリントデータを記憶手段に格納して管理する管理ステップと、
前記記念プリントデータの印刷出力により前記記念プリントを出力する出力装置を制御するための出力制御ステップと
を前記コンピュータに実行させることを特徴とする記憶媒体。
【手続補正３】
【補正対象書類名】明細書
【補正対象項目名】０００１
【補正方法】変更
【補正の内容】
【０００１】
【発明の属する技術分野】
本発明は、利用者により購入された投票券の記念プリントを該利用者に提供するための投票券記念プリントシステム、投票券記念プリントサービス方法および記憶媒体に関する。
【手続補正４】
【補正対象書類名】明細書
【補正対象項目名】０００３
【補正方法】変更
【補正の内容】
【０００３】
このコピーサービスを提供するシステムについて図１４を参照しながら説明する。図１４はＪＲＡ（登録商標）のコピーサービスの流れを示す模式的に示す図である。ここでは、ＪＲＡのシステムを例に説明する。
【手続補正５】
【補正対象書類名】明細書
【補正対象項目名】０００７
【補正方法】変更
【補正の内容】
【０００７】
本発明の目的は、混雑を招くことなく、簡単に投票券の記念プリントを取得することができる投票券記念プリントシステム、投票券記念プリントサービス方法および記憶媒体を提供することにある。
【手続補正６】
【補正対象書類名】明細書
【補正対象項目名】０００８
【補正方法】変更
【補正の内容】
【０００８】
【課題を解決するための手段】
本発明は、上記目的を達成するため、利用者により購入された投票券の記念プリントを該利用者に提供するための投票券記念プリントシステムであって、利用者により購入された投票券の記述情報の読取が可能で、前記利用者が指定する、前記投票券の記念プリントに対する注文内容を、入力可能な入力装置と、前記入力装置により読み取られた記述情報と前記入力装置によって入力された注文内容とに基づいて前記投票券の記念プリントデータを生成する管理装置と、前記投票券の記念プリントを出力するために、前記管理装置により生成された記念プリントデータの印刷出力を行う出力装置とを備えることを特徴とする投票券記念プリントシステムを提供する。
【手続補正７】
【補正対象書類名】明細書
【補正対象項目名】０００９
【補正方法】変更
【補正の内容】
【０００９】
本発明は、上記目的を達成するため、利用者により購入された投票券の記念プリントを該利用者に提供する投票券記念プリントサービス方法であって、利用者により購入された投票券の記述情報を読み取る工程と、前記投票券の記念プリントの受取り形態を指定する項目が含まれる注文内容を入力する工程と、前記記述情報と前記注文内容とに基づいて前記投票券の記念プリントデータを生成する工程と、前記記念プリントデータの印刷出力を行う工程とを有することを特徴とする投票券記念プリントサービス方法を提供する。
【手続補正８】
【補正対象書類名】明細書
【補正対象項目名】００１０
【補正方法】変更
【補正の内容】
【００１０】
本発明は、上記目的を達成するため、利用者により購入された投票券の記念プリントを該利用者に提供するための投票券記念プリントシステムを構築するためのプログラムをコンピュータにより読み取り可能に格納した記憶媒体であって、前記プログラムは、利用者により購入された投票券の記述情報と前記利用者が指定する前記投票券の記念プリントに対する注文内容とに基づいて前記投票券の記念プリントデータを生成するプリントデータ生成ステップと、前記記念プリントデータを記憶手段に格納して管理する管理ステップと、前記記念プリントデータの印刷出力により前記記念プリントを出力する出力装置を制御するための出力制御ステップとを前記コンピュータに実行させることを特徴とする記憶媒体を提供する。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】削除
【補正の内容】
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】削除
【補正の内容】
【手続補正４９】
【補正対象書類名】明細書
【補正対象項目名】００５１
【補正方法】削除
【補正の内容】
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】
【手続補正５２】
【補正対象書類名】明細書
【補正対象項目名】００５４
【補正方法】削除
【補正の内容】
【手続補正５３】
【補正対象書類名】明細書
【補正対象項目名】００５５
【補正方法】削除
【補正の内容】
【手続補正５４】
【補正対象書類名】明細書
【補正対象項目名】０１０５
【補正方法】変更
【補正の内容】
【０１０５】
【発明の効果】
以上説明したように、本発明によれば、混雑を招くことなく、簡単に投票券の記念プリントを取得することができる。
【手続補正５５】
【補正対象書類名】明細書
【補正対象項目名】０１０６
【補正方法】削除
【補正の内容】
【手続補正５６】
【補正対象書類名】明細書
【補正対象項目名】０１０７
【補正方法】削除
【補正の内容】
【手続補正５７】
【補正対象書類名】明細書
【補正対象項目名】０１０８
【補正方法】削除
【補正の内容】
【手続補正５８】
【補正対象書類名】明細書
【補正対象項目名】０１０９
【補正方法】削除
【補正の内容】
【手続補正５９】
【補正対象書類名】明細書
【補正対象項目名】０１１０
【補正方法】削除
【補正の内容】
【手続補正６０】
【補正対象書類名】明細書
【補正対象項目名】０１１１
【補正方法】削除
【補正の内容】
【手続補正６１】
【補正対象書類名】明細書
【補正対象項目名】０１１２
【補正方法】削除
【補正の内容】
【手続補正６２】
【補正対象書類名】明細書
【補正対象項目名】０１１３
【補正方法】削除
【補正の内容】
【手続補正６３】
【補正対象書類名】明細書
【補正対象項目名】０１１４
【補正方法】削除
【補正の内容】
【手続補正６４】
【補正対象書類名】明細書
【補正対象項目名】０１１５
【補正方法】削除
【補正の内容】
【手続補正６５】
【補正対象書類名】明細書
【補正対象項目名】０１１６
【補正方法】削除
【補正の内容】
【手続補正６６】
【補正対象書類名】明細書
【補正対象項目名】０１１７
【補正方法】削除
【補正の内容】
【手続補正６７】
【補正対象書類名】明細書
【補正対象項目名】０１１８
【補正方法】削除
【補正の内容】
【手続補正６８】
【補正対象書類名】明細書
【補正対象項目名】０１１９
【補正方法】削除
【補正の内容】
【手続補正６９】
【補正対象書類名】明細書
【補正対象項目名】０１２０
【補正方法】削除
【補正の内容】
【手続補正７０】
【補正対象書類名】明細書
【補正対象項目名】０１２１
【補正方法】削除
【補正の内容】
【手続補正７１】
【補正対象書類名】明細書
【補正対象項目名】０１２２
【補正方法】削除
【補正の内容】
【手続補正７２】
【補正対象書類名】明細書
【補正対象項目名】０１２３
【補正方法】削除
【補正の内容】
【手続補正７３】
【補正対象書類名】明細書
【補正対象項目名】０１２４
【補正方法】削除
【補正の内容】
【手続補正７４】
【補正対象書類名】明細書
【補正対象項目名】０１２５
【補正方法】削除
【補正の内容】
【手続補正７５】
【補正対象書類名】明細書
【補正対象項目名】０１２６
【補正方法】削除
【補正の内容】
【手続補正７６】
【補正対象書類名】明細書
【補正対象項目名】０１２７
【補正方法】削除
【補正の内容】
【手続補正７７】
【補正対象書類名】明細書
【補正対象項目名】０１２８
【補正方法】削除
【補正の内容】
【手続補正７８】
【補正対象書類名】明細書
【補正対象項目名】０１２９
【補正方法】削除
【補正の内容】
【手続補正７９】
【補正対象書類名】明細書
【補正対象項目名】０１３０
【補正方法】削除
【補正の内容】
【手続補正８０】
【補正対象書類名】明細書
【補正対象項目名】０１３１
【補正方法】削除
【補正の内容】
【手続補正８１】
【補正対象書類名】明細書
【補正対象項目名】０１３２
【補正方法】削除
【補正の内容】
【手続補正８２】
【補正対象書類名】明細書
【補正対象項目名】０１３３
【補正方法】削除
【補正の内容】
【手続補正８３】
【補正対象書類名】明細書
【補正対象項目名】０１３４
【補正方法】削除
【補正の内容】
【手続補正８４】
【補正対象書類名】明細書
【補正対象項目名】０１３５
【補正方法】削除
【補正の内容】
【手続補正８５】
【補正対象書類名】明細書
【補正対象項目名】０１３６
【補正方法】削除
【補正の内容】